(57)【要約】【課題】指針画像が指し示す指示位置を認識し易くしつつ、計測量の増減に基く指針画像の移動を認識し易くする。【解決手段】マトリックス状に複数の画素２１が形成されている表示パネル２と、所定の計測量に基いて複数の画素２１の各表示状態を制御して、指針計器を表す指針計器画像７を表示パネル２に表示させる制御手段４、５とを備え、指針計器画像７が、計測量の増減に従って移動する指針を表す指針画像７１と、指針が指し示す目盛を表す目盛画像７２と、目盛画像７２が表示されている目盛領域７３に表示されている帯状の帯状画像７４とを備え、目盛領域７３において指針画像７１が指し示している指示位置と指示位置の近傍とのいずれかの位置である第１位置Ｐ１から、指針画像７１が移動する移動方向へ沿った所定範囲で帯状画像７４を表示する。【選択図】図３
2008241472.tif 000002
【特許請求の範囲】
【請求項１】
マトリックス状に複数の画素が形成されている表示パネルと、
所定の計測量に基いて前記複数の画素の各表示状態を制御して、指針計器を表す指針計器画像を前記表示パネルに表示させる制御手段とを備え、
前記指針計器画像は、前記計測量の増減に従って移動する指針を表す指針画像と、該指針が指し示す目盛を表す目盛画像と、該目盛画像が表示されている目盛領域に表示されている帯状の帯状画像とを備え、
前記目盛領域において前記指針画像が指し示している指示位置と該指示位置の近傍とのいずれかの位置である第１位置から、該指針画像が移動する移動方向へ沿った所定範囲で、前記帯状画像を表示することを特徴とする表示装置。
【請求項２】
前記第１位置から、前記計測量の減少に従って前記指針画像が移動する方向へ向かった所定範囲で、前記帯状画像を表示することを特徴とする請求項１に記載の表示装置。
【請求項３】
前記計測量の最小値と最大値のどちらかを表す前記目盛画像の位置である第２位置と前記第１位置の距離が前記目盛領域において所定長さ未満の場合に、該第１位置から該第２位置までの範囲で前記帯状画像を表示し、
前記第２位置と前記第１位置の距離が前記目盛領域において前記所定長さ以上の場合に、該第１位置から該所定長さの範囲で前記帯状画像を表示することを特徴とする請求項１に記載の表示装置。
【請求項４】
前記第２位置は、前記最小値を表す前記目盛画像の位置であることを特徴とする請求項３に記載の表示装置。
【請求項５】
前記帯状画像は、該帯状画像の明度が前記第１位置から前記移動方向へ沿って徐々に変化していくグラデーションを有していることを特徴とする請求項１ないし請求項４のいずれか一項に記載の表示装置。
【請求項６】
前記帯状画像は、前記明度が前記第１位置から徐々に低くなっていくグラデーションを有していることを特徴とする請求項５に記載の表示装置。
【発明の詳細な説明】
【技術分野】
【０００１】
本発明は、マトリックス状に複数の画素が形成されている表示パネルに、指針計器を表す指針計器画像を表示させる表示装置に関するものである。
【背景技術】
【０００２】
マトリックス状に複数の画素が形成されている液晶パネル等の表示パネルに、指針計器を表す指針計器画像を表示させる車両用表示装置が開示されている（特許文献１参照）。特許文献1の実施例では、当該車両周辺の道路地図とこの道路地図において当該車両の現在位置等を表すナビゲーション画像を、表示パネルの中央に表示させ、このナビゲーション画像の両側に指針計器画像を表示させ、このナビゲーション画像の表示領域を大きくする構成が記載されている。
【特許文献１】特開２００６−２１５７３号公報
【発明の開示】
【発明が解決しようとする課題】
【０００３】
特許文献１には具体的に記載されていないが、当該車両のエンジン回転数等の計測量に基いて複数の画素の各表示状態を制御して、指針計器画像を表示パネルに表示させる。この指針計器画像は、この計測量の増減に従って移動（回動）する指針を表す指針画像と、指針が指し示す目盛を表す目盛画像とを備える。しかし、指針計器では、目盛が形成された文字盤の目視側前面を指針が回動するのに対して、指針計器画像では、表示パネルの同一平面上で目盛画像と指針画像が表示される。このため、指針計器における指針の回動と比較して、指針画像の回動の印象が低くなり、これにより、指針画像が指し示す指示位置（計測値）を認識し難くなり、且つ、指針画像の回動を認識し難くなるという問題が生じている。
【０００４】
この問題は、計測量の増減に従って回動する指針を表す指針画像を備えた指針計器画像に限らず、計測量の増減に従って水平方向や垂直方向に移動する指針を表す指針画像を備えた指針計器画像にも共通する問題である。また、この問題は、車両用表示装置に限らず、これらの指針計器画像を表示させる表示装置に共通する問題である。
【０００５】
本発明は、このような事情を考慮してなされたものであり、マトリックス状に画素が形成されている表示パネルに指針計器画像を表示させる表示装置において、指針画像が指し示す指示位置を認識し易くしつつ、計測量の増減に基く指針画像の移動を認識し易くすることを目的とする。
【課題を解決するための手段】
【０００６】
本発明は上記目的を達成するため、以下の技術的手段を採用する。
【０００７】
請求項１に記載の表示装置は、マトリックス状に複数の画素が形成されている表示パネルと、所定の計測量に基いて複数の画素の各表示状態を制御して、指針計器を表す指針計器画像を表示パネルに表示させる制御手段とを備え、指針計器画像が、計測量の増減に従って移動する指針を表す指針画像と、指針が指し示す目盛を表す目盛画像と、目盛画像が表示されている目盛領域に表示されている帯状の帯状画像とを備え、目盛領域において指針画像が指し示している指示位置と指示位置の近傍とのいずれかの位置である第１位置から、指針画像が移動する移動方向へ沿った所定範囲で、帯状画像を表示することを特徴とする。
【０００８】
この構成では、指針画像が、計測量の増減に従って移動し、目盛領域において指針画像が指し示している指示位置と指示位置の近傍とのいずれかの位置である第１位置から、指針画像が移動する移動方向へ沿った所定範囲で、帯状画像を表示する。これにより、指針画像の移動と同調して、帯状画像が移動するため、指針画像の移動を、指針画像と帯状画像の両方の移動として認識させることができる。このため、計測量の増減に基く指針画像の移動を認識し易くできる。
【０００９】
また、指示位置と指示位置の近傍とのいずれかの位置である第１位置から移動方向へ沿った所定範囲で、帯状画像を表示するため、指針画像が指し示している指示位置を、帯状画像によって強調できる。このため、この指示位置を認識し易くできる。これらの結果、指針画像が指し示す指示位置を認識し易くしつつ、計測量の増減に基く指針画像の移動を認識し易くできる。
【００１０】
請求項２に記載の表示装置は、第１位置から、計測量の減少に従って指針画像が移動する方向へ向かった所定範囲で、帯状画像を表示することを特徴とする。これにより、指示位置を、帯状画像において最も高い計測量として認識させることができるため、上述の効果を得つつ指針画像が指し示す計測量をより認識し易くできる。
【００１１】
請求項３に記載の表示装置は、計測量の最小値と最大値のどちらかを表す目盛画像の位置である第２位置と第１位置の距離が目盛領域において所定長さ未満の場合に、第１位置から第２位置までの範囲で帯状画像を表示し、第２位置と第１位置の距離が目盛領域において所定長さ以上の場合に、第１位置から所定長さの範囲で帯状画像を表示することを特徴とする。
【００１２】
この構成では、指針画像が指し示す指示位置が、第２位置から所定長さの位置まで第２位置から移動する際に、ゼロから所定長さまで帯状画像の長さを変化させて帯状画像を表示する。このため、指針画像の移動に躍動感を与えることができる。また、指示位置が、第２位置から所定長さ以上の位置へ移動した後に、所定長さの範囲で、この長さを変化させないで帯状画像を表示する。このため、指針画像の移動を、指針画像と帯状画像の両方の移動としてより認識させることができる。これらの結果、計測量の増減に基く指針画像の移動をより認識し易くできる。
【００１３】
請求項４に記載の表示装置は、第２位置が、最小値を表す目盛画像の位置であることを特徴とする。これにより、指示位置を、帯状画像において最も高い計測量として認識させることができるため、上述の効果を得つつ指針画像が指し示す計測量をより認識し易くできる。
【００１４】
請求項５に記載の表示装置は、帯状画像が、帯状画像の明度が第１位置から移動方向へ沿って徐々に変化していくグラデーションを有していることを特徴とする。これにより、帯状画像のグラデーション効果によって、帯状画像が強調され、このため、指針画像の移動を、グラデーション効果によって強調されている帯状画像と指針画像の両方の移動として認識させることができる。この結果、上述の効果をより高めることができる。
【００１５】
請求項６に記載の表示装置は、帯状画像が、明度が第１位置から徐々に低くなっていくグラデーションを有していることを特徴とする。これにより、指示位置と指示位置の近傍とのいずれかの位置である第１位置で帯状画像の明度が最も高くなるため、上述の効果を得つつ指針画像が指し示す指示位置をより認識し易くできる。
【発明を実施するための最良の形態】
【００１６】
以下、本発明による表示装置を図面に基づいて説明する。
【００１７】
図１に示す表示装置１は、例えば、車載用の表示装置として使用され、表示パネルである液晶パネル２と、発光ダイオード３と、制御手段であるＣＰＵ（セントラル・プロセッシング・ユニット）４と描画ＩＣ（集積回路）５と、ＲＯＭ（リード・オンリー・メモリ）４１と、記憶データの書き換えが可能な画像メモリ５１とを備える。
【００１８】
マトリックス状に複数の画素２１が形成されている液晶パネル２は、図示しない薄膜トランジスタ（ＴＦＴ）によって駆動されるタイプのアクティブマトリックス方式の液晶パネルである。また、各画素２１は、赤色画素と緑色画素と青色画素を内蔵し、ＴＦＴのゲートに電圧を印加することによって各画素２１において赤色画素と緑色画素と青色画素に印加する電圧を制御し、これにより、各画素２１において赤色画素と緑色画素と青色画素の各光透過率を制御する。白色光を発する発光ダイオード３は、液晶パネル２の背後に配置されて液晶パネル２を透過照明する光源であり、ＣＰＵ４によって点燈する。赤色画素と緑色画素と青色画素の各光透過率が制御されている各画素２１を発光ダイオード３が透過照明することによって、液晶パネル２にフルカラー表示をさせる。
【００１９】
ＣＰＵ４は、所定の計測量である当該自動車のエンジン回転数を検出する回転センサ６１等の信号を取り込み、これを描画ＩＣ５に入力させ、当該自動車に備わる機器の作動状態を報知するインジケータや当該自動車の異常を警告するウォーニングに関するインジケータ／ウォーニングセンサ６２等の信号を取り込み、描画ＩＣ５に入力させる。ＲＯＭ４１には、図２に示す指針計器画像である回転メータ画像７と速度メータ画像８や、インジケータ／ウォーニング画像９等の画像データが記憶されている。ＣＰＵ４からの指示により、画像データがＲＯＭ４１から画像メモリ５１へ転送され、描画ＩＣ５は、画像メモリ５１の画像データと、入力した所定の計測量やインジケータ／ウォーニング情報に基いて、各画素２１において赤色画素と緑色画素と青色画素に印加する電圧を制御し、複数の画素２１の各表示状態を制御する。
【００２０】
これにより、図２に示すように、回転メータ画像７や速度メータ画像８やインジケータ／ウォーニング画像９等を液晶パネル２に表示させる。回転メータ画像７は、当該車両のエンジン回転数を示す回転メータを表す画像であり、エンジン回転数の増減に従って回動する指針を表す指針画像７１と、指針が指し示す目盛を表す目盛画像７２と、目盛画像７２が表示されている目盛領域７３に表示されている帯状の帯状画像７４とを備える。
【００２１】
速度メータ画像８は、所定の計測量である当該車両の速度を表示する速度メータを表す画像であり、回転メータ画像７と同様に、当該車両の速度の増減に従って回動する指針を表す指針画像８１と、指針が指し示す目盛を表す目盛画像８２と、目盛画像８２が表示されている目盛領域８３に表示されている帯状の帯状画像８４とを備える。インジケータ／ウォーニング画像９は、インジケータとウォーニングとを表す画像である。
【００２２】
以下、本発明の特徴である帯状画像７４、８４を、図３に基いて、回転メータ画像７において説明する。
【００２３】
図３（ａ）に示すように、目盛領域７３において指針画像７１が指し示している指示位置である第１位置Ｐ１から、指針画像７１が移動する移動方向である回動する回動方向へ沿った所定の範囲で、帯状画像７４を表示する。具体的に、第１位置Ｐ１から、エンジン回転数の減少に従って指針画像７１が回動する減少方向（図３において反時計回り）へ向かって、即ち、第１位置Ｐ１から、エンジン回転数の最小値表す目盛画像７２（数字「０」に対応する目盛画像７２）の位置である第２位置Ｐ２へ向かった所定範囲で、帯状画像７４を表示する。
【００２４】
上述したように、エンジン回転数の増減に従って指針画像７１が回動するため、指針画像７１の回動と同調して帯状画像７４が回動する。これにより、指針画像７１の回動を、指針画像７１と帯状画像７４の両方の回動として認識させることができるため、エンジン回転数の増減に基く指針画像７１の回動を認識し易くできる。
【００２５】
また、第１位置Ｐ１から回動方向へ沿った所定範囲で帯状画像７４を表示するため、指針画像７１が指し示している指示位置である第１位置Ｐ１を、帯状画像７４によって強調できる。このため、この指示位置である第１位置Ｐ１を認識し易くできる。これらの結果、指針画像７１が指し示す指示位置（第１位置Ｐ１）を認識し易くしつつ、エンジン回転数の増減に基く指針画像７１の回動を認識し易くできる。
【００２６】
また、第１位置Ｐ１から減少方向（図３において反時計回り）へ向かった所定範囲で帯状画像７４を表示するため、帯状画像７４において最も高いエンジン回転数として指示位置を認識させることができる。これにより、上述の効果を得つつ指針画像７１が指し示すエンジン回転数をより認識し易くできる。
【００２７】
また、図３（ａ）と図３（ｂ）に示すように、第２位置Ｐ２と第１位置Ｐ１の距離が目盛領域７３において所定長さＬ以上の場合には、第１位置Ｐ１から所定長さＬの範囲で帯状画像７４を表示する。一方、図３（ｃ）に示すように、第２位置Ｐ２と第１位置の距離が目盛領域７３において所定長さＬ未満の場合には、第１位置Ｐ１から第２位置Ｐ２までの範囲で帯状画像７４を表示する。
【００２８】
これにより、指針画像７１が指し示す指示位置である第１位置Ｐ１が、第２位置Ｐ２から所定長さの位置まで第２位置Ｐ２から回動する際に、ゼロから所定長さＬまで帯状画像７４の長さを変化させて帯状画像７４を表示する。このため、指針画像７１の移動に躍動感を与えることができる。また、指示位置（第１位置Ｐ１）が、第２位置Ｐ２から所定長さＬ以上の位置へ回動した後に、所定長さＬの範囲で、この長さを変化させないで帯状画像７４を表示する。このため、指針画像７１の移動を、指針画像７１と帯状画像７４の両方の移動としてより認識させることができる。これらの結果、エンジン回転数の増減に基く指針画像７１の回動をより認識し易くできる。
【００２９】
また、帯状画像７４は、その明度が第１位置Ｐ１からこの減少方向へ沿って徐々に低くなっていくグラデーション（濃淡）を有する。これにより、帯状画像７４のグラデーション効果によって、帯状画像７４が強調され、指針画像７１の回動を、グラデーション効果によって強調されている帯状画像７４と指針画像７１の両方の回動として認識させることができる。この結果、上述の効果をより高めることができる。
【００３０】
また、これにより、指示位置（第１位置Ｐ１）で帯状画像７４の明度が最も高くなるため、上述の効果を得つつ指針画像７１が指し示す指示位置をより認識し易くできる。
【００３１】
また、描画ＩＣ５に大きな負荷をかけることなく、これらの効果を得ることができる。
【００３２】
これらの結果、指針画像７１が指し示す指示位置を認識し易くしつつ、指針画像７１の移動を認識し易くできる。
【００３３】
尚、本実施形態では、図２に示すように、指針画像７１の回転中心側にもインジケータ／ウォーニング画像９を表示させるために、指針画像７１の回転中心を表示させないで、指針画像７１の長さを短くして表示させている。このため、指針画像７１のみの印象は低下するが、このような場合においても、上述の構成を採ることにより、上述の効果を得ることができる。
【００３４】
尚、速度メータ画像８においても同様であるため、帯状画像８４の説明を省略する。
【００３５】
以上、本実施形態による表示装置１は、マトリックス状に複数の画素２１が形成されている表示パネルである液晶パネル２と、所定の計測量であるエンジン回転数に基いて複数の画素２１の各表示状態を制御して、指針計器を表す指針計器画像である回転メータ画像７を液晶パネル２に表示させる制御手段であるＣＰＵ４と描画ＩＣ５とを備え、回転メータ画像７が、エンジン回転数の増減に従って移動する指針を表す指針画像７１と、指針が指し示す目盛を表す目盛画像７２と、目盛画像７２が表示されている目盛領域７３に表示されている帯状の帯状画像７４とを備え、目盛領域７３において指針画像７１が指し示している指示位置と指示位置の近傍とのいずれかの位置である第１位置Ｐ１から、指針画像７１が移動する移動方向へ沿った所定範囲で帯状画像７４を表示する。
【００３６】
これにより、指針計器画像において指針画像が指し示す指示位置を認識し易くしつつ、計測量の増減に基く指針画像の移動を認識し易くできる。
【００３７】
（変形例）
また、上述の例では、エンジン回転数の増減に従って指針画像７１が回動したが、これに限らない。図４に示すように、回転メータ画像７ａにおいて、指針画像７１ａが、エンジン回転数の増減にしたがって、水平方向（図４において左右方向）へ移動するように、指針画像７１ａや目盛画像７２ａや目盛領域７３ａや帯状画像７４ａ等を表示することも可能である。
【００３８】
本変形例においても、目盛領域７３ａにおいて指針画像７１ａが指し示している指示位置である第１位置Ｐ１ａから、指針画像７１ａが移動する移動方向（図４において左右方向）へ沿った所定範囲で帯状画像７４ａを表示する。具体的に、第１位置Ｐ１ａから、エンジン回転数の減少に従って指針画像７１ａが移動する減少方向（図４において左方向）へ向かって、即ち、第１位置Ｐ１ａから、エンジン回転数の最小値表す目盛画像７２ａ（数字「０」に対応する目盛画像７２ａ）の位置である第２位置Ｐ２ａへ向かった所定範囲で、帯状画像７４ａを表示する。
【００３９】
尚、指針画像を垂直方向（図４において上下方向）へ移動するように、指針計器画像を表示させるようにすることも可能である。
【００４０】
上述の例では、帯状画像７４が、目盛領域７３において指針画像７１が指し示している指示位置から減少方向へ沿って長さＬを有していたが、これに限らない。これと反対に、帯状画像７４が、指示位置から、エンジン回転数の増加に従って指針画像７１が回動する増加方向（図３において時計回り、図４において右方向）へ向かって長さＬを有するようにすることも可能である。
【００４１】
また、帯状画像７４を、指示位置の近傍から長さＬを有するようにすることも可能である。この場合、図３において、第１位置Ｐ１は、指示位置の近傍である。つまり、図３において、第１位置Ｐ１を、指示位置と指示位置の近傍とのいずれかの位置とすることが可能である。
【００４２】
また、長さＬに限らないで、他の一定の長さにすることも可能である。
【００４３】
また、上述の例では、帯状画像７４は、明度が指示位置から減少方向へ沿って徐々に低くなっていくグラデーションを有していいたが、これに限らない。これと反対に、帯状画像７４は、明度が指示位置から減少方向へ沿って徐々に高くなっていくグラデーションを有するようにすることも可能である。
【００４４】
また、液晶パネル２を、フルカラー表示をしないモノクロ液晶パネルとすることも可能である。
【００４５】
また、受光型（非発光型）の表示パネルである液晶パネル２の代わりに、発光型の表示パネルであるＥＬ（エレクトロ・ルミネセンス）表示パネルを使用することも可能である。
【００４６】
また、上述した例に限らないで、これらの組み合わせや、他の種々の変形例が考えられる。
【図面の簡単な説明】
【００４７】
【図１】図１は、本発明の一実施形態による表示装置であるコンビネーションメータ1の回路構成図である。
【図２】図２は、図１に示す液晶パネル２の正面図である。
【図３】図３（ａ）は、図２中のＩＩＩＡ部の拡大正面図であり、図３（ｂ）と図３（ｃ）は、指針画像７１の回動位置が図３（ａ）と異なる場合の拡大正面図である。
【図４】図４は、図３（ａ）の変形例を示す拡大正面図である。
【符号の説明】
【００４８】
１  表示装置、２  液晶パネル（表示パネル）、２１  画素、３  発光ダイオード
４  ＣＰＵ（制御手段）、４１  ＲＯＭ、５  描画ＩＣ（制御手段）
５１、画像メモリ、６１  回転センサ、６２  インジケータ／ウォーニングセンサ
７、７ａ  回転メータ画像（指針計器画像）、７１，７１ａ  指針画像
７２，７２ａ  目盛画像、７３，７３ａ  目盛領域、７４，７４ａ  帯状画像
８  速度メータ画像（指針計器画像）、８１  指針画像、８２  目盛画像
８３  目盛領域、８４  帯状画像、９  インジケータ／ウォーニング画像
【図１】
2008241472.tif 000003
【図２】
2008241472.tif 000004
【図３】
2008241472.tif 000005
【図４】
2008241472.tif 000006